(57)【要約】【課題】本発明は、簡易な構成でサブミラーのバウンドを軽減することが可能な一眼レフレックスカメラのミラー装置を提供する。【解決手段】本発明は、一眼レフレックスカメラのミラー装置において、観察光学系へと被写体光束を反射する第１の位置と、前記被写体光束から退避した第２の位置とに可動する反射ミラー面を有するメインミラー部と、上記メインミラー部の移動に連動して、上記メインミラー部が上記第１の位置にある場合には上記メインミラー部から離反した位置に、そして上記メインミラー部が上記第２の位置にある場合には上記メインミラー部と伴に上記被写体光束から退避した位置に位置する反射ミラー面を有するサブミラー部と、上記メインミラー部が上記第１の位置から上記第２の位置へと移動したときに上記サブミラー部とメインミラー部との間に挟まれる緩衝部と、を有する構成とした。【選択図】図４
2009098380.tif 000002
【特許請求の範囲】
【請求項１】
一眼レフレックスカメラのミラー装置であって、
観察光学系へと被写体光束を反射する第１の位置と、前記被写体光束から退避した第２の位置とに可動する反射ミラー面を有するメインミラー部と、
上記メインミラー部の移動に連動して、上記メインミラー部が上記第１の位置にある場合には上記メインミラー部から離反した位置に、そして上記メインミラー部が上記第２の位置にある場合には上記メインミラー部と伴に上記被写体光束から退避した位置に位置する反射ミラー面を有するサブミラー部と、
上記メインミラー部が上記第１の位置から上記第２の位置へと移動したときに上記サブミラー部とメインミラー部との間に挟まれる緩衝部と、
を有することを特徴とした一眼レフレックスカメラのミラー装置。
【請求項２】
上記緩衝部は衝撃吸収材からなり、上記メインミラー部に固着されていることを特徴とした請求項１に記載の一眼レフレックスカメラのミラー装置。
【請求項３】
上記緩衝部は衝撃吸収材からなり、上記サブミラー部に固着されていることを特徴とした請求項１に記載の一眼レフレックスカメラのミラー装置。
【請求項４】
上記サブミラー部は、上記メインミラー部が上記第２の位置にある場合に上記緩衝部と当接する当接部を有し、該当接部は稜線が形成され該稜線が上記緩衝部と当接することを特徴とした上記請求項１又は２に記載の一眼レフレックスカメラのミラー装置。
【請求項５】
上記メインミラー部は、上記メインミラー部が上記第２の位置にある場合に上記緩衝部と当接する当接部を有し、該当接部は稜線が形成され該稜線が上記緩衝部と当接することを特徴とした上記請求項１又は３に記載の一眼レフレックスカメラのミラー装置。
【発明の詳細な説明】
【技術分野】
【０００１】
本発明は、サブミラーを備えた一眼レフレックスカメラのミラー装置に関する。
【背景技術】
【０００２】
一眼レフレックスカメラは、撮影レンズから入射された被写体光束に基づき撮影を行うとともに、該撮影レンズから入射された被写体光束に基づき被写体の観察を行うように構成されたものである。一眼レフレックスカメラには、一般的に、撮影レンズからの被写体光束を、フィルムや撮像素子側の撮影側へ向かわせるか、あるいは観察側へ向かわせるかを時間的に切り換えるようにするミラー装置としてのクイックリターンミラーが配設されている。
【０００３】
一眼レフレックスカメラにおいては、クイックリターンミラーの位置を切り替えた場合に、クイックリターンミラーが衝撃によりバウンドしてしまい、バウンドしたクイックリターンミラーが写真に写りこんでしまうという不具合が起きることがある。また、クイックリターンミラーがバウンドしてしまうことにより、高速のミラー駆動に追従できないため連写性能を高速化することができないという問題も起きる。
【０００４】
この不具合を避ける方法として、クイックリターンミラーの位置決め箇所に緩衝材を設け、クイックリターンミラーのバウンドを抑制する方法が一般的である。
【０００５】
ところで、近年発売されているカメラの多くはオートフォーカス（ＡＦ）機構を備えており、一眼レフレックスカメラが備えるＡＦ機構の代表例がＴＴＬ位相差ＡＦである。このＴＴＬ位相差ＡＦが可能な一眼レフレックスカメラは、一般に次のような構造を備えている。
【０００６】
撮影レンズからの被写体光束を反射するミラーダウン位置と、該被写体光束から退避したミラーアップ位置と、に回動可能なメインミラーの一部を半透過部として構成する。そして、観察位置においてこの半透過部を透過した被写体光束を反射するためのサブミラーを該半透過部の背面側に設けて、このサブミラーにより反射した被写体光束の光路上に位相差ＡＦ用の測距センサを配置する。なお、このサブミラーは、メインミラーがミラーアップ位置にあるときには、該メインミラーに沿って折り畳まれて被写体光束から退避するように構成されている。
【０００７】
この、メインミラーとサブミラーとからなるクイックリターンミラーのバウンドを抑制する技術としては、例えばクイックリターンミラーをタイミング制御された電磁マグネットにより吸着する技術が特開平６−１７５２２３号公報に開示されている。
【特許文献１】特開平６−１７５２２３号公報
【発明の開示】
【発明が解決しようとする課題】
【０００８】
特開平６−１７５２２３号公報に開示の技術では、電磁マグネットによる吸着及びその制御のために機構及び回路の構成が複雑となり装置が大型化してしまうと共に、電力の消費量が大きくなってしまうという問題がある。
【０００９】
本発明は、上記問題点に鑑みてなされたものであり、簡易な構成でサブミラーのバウンドを軽減することが可能な一眼レフレックスカメラのミラー装置を提供することを目的とする。
【課題を解決するための手段】
【００１０】
本発明に係る一眼レフレックスカメラのミラー装置は、一眼レフレックスカメラのミラー装置であって、観察光学系へと被写体光束を反射する第１の位置と、前記被写体光束から退避した第２の位置とに可動する反射ミラー面を有するメインミラー部と、上記メインミラー部の移動に連動して、上記メインミラー部が上記第１の位置にある場合には上記メインミラー部から離反した位置に、そして上記メインミラー部が上記第２の位置にある場合には上記メインミラー部と伴に上記被写体光束から退避した位置に位置する反射ミラー面を有するサブミラー部と、上記メインミラー部が上記第１の位置から上記第２の位置へと移動したときに上記サブミラー部とメインミラー部との間に挟まれる緩衝部と、を有することを特徴とする。
【発明を実施するための最良の形態】
【００１１】
以下に、レンズ交換式の一眼レフレックスカメラに、本発明を適用した実施形態を図面を参照して説明する。
【００１２】
図１は、一眼レフレックスカメラのカメラ本体の構成を示す縦断面図である。図２は、ミラーダウン位置におけるミラー装置を側方から見た図である。図３は、ミラーアップ位置におけるミラー装置を側方から見た図である。図４は、ミラーダウン位置にあるミラー装置を下方側から見た図である。
【００１３】
まず、図１から図３を参照して、本実施形態の一眼レフレックスカメラの概略的な構成について説明する。
【００１４】
一眼レフレックスカメラのカメラ本体１は、ミラー装置２と、撮像ユニット３と、ファインダユニット４と、測距ユニット５と、表示ユニット６と、ストロボユニット７とを具備して構成されている。
【００１５】
ミラー装置２の前方にはボディマウント１１が設けられており、このボディマウント１１を介して、カメラ本体１に撮影レンズ１ａを交換可能に着脱することができるようになっている。
【００１６】
なお、以下の説明において「光路」というときは、撮影レンズ１ａがボディマウント１１に装着されたときの、該撮影レンズ１ａを介して入射される被写体光束の光路を指すこととし、例外がある場合にはその旨を明記することにする。
【００１７】
また、以下の説明において、図１に示すように、一眼レフレックスカメラの左右方向をＸ方向とし、Ｘ方向と直交する上下方向をＹ方向とし、Ｘ、Ｙ方向に直交する前後方向をＺ方向とする。Ｚ方向は、撮影レンズ１ａの光軸Ｏと平行な方向（カメラ本体１の厚み方向）であり、Ｚ方向にてカメラ本体１の被写体側を前側（前面側）とし、撮影者側を後側（背面側）とする。また、Ｘ方向の左右方向はカメラ本体１を背面側から見た方向で示す。すなわち、図１の紙面に正対して手前側が左側となる。
【００１８】
このボディマウント１１の光路上後方にはミラーボックス１２が配設されており、このミラーボックス１２内に、詳しくは後述するミラー装置２が配設されている。ミラー装置２は、被写体光束の光路上に進退可能に配された２つの反射ミラーである、メインミラー１３とサブミラー１４とを具備して構成されている。
【００１９】
メインミラー１３は、反射ミラー面を有し、ミラーボックス内においてメインミラー回動軸４１ａ周りに回動可能に配設された枠状のメインミラー保持枠４１によって支持されている。このメインミラー保持枠４１の背面側には、サブミラー保持枠６１がサブミラー回動軸６１ａ周りに回動可能に支持されている。サブミラー１４は、このサブミラー保持枠６１により支持される。メインミラー回動軸４１ａとサブミラー回動軸６１ａとは略平行であり、それぞれ撮影レンズ１ａの光軸Ｏと直交する面に沿うように配された軸である。
【００２０】
メインミラー１３は、反射ミラー面の少なくとも一部が半透過部として構成され、かつメインミラー保持枠４１には貫通孔である開口部４２が形成されており、メインミラー１３の半透過部を透過する光束はメインミラー保持枠４１の背面側へ透過するように構成されている。サブミラー１４は、このメインミラー１３の半透過部を透過する光束の光軸上に配設される。
【００２１】
メインミラー１３は、図示しないアクチュエータやカム、バネ機構による駆動力により、図２に示すような被写体光束の光路上に進出した第１の位置であるミラーダウン位置と、図３に示すような被写体光束の光路上から退避した第２の位置であるミラーアップ位置と、の二位置のいずれかに位置決めされる。
【００２２】
また、サブミラー１４は、反射ミラー面を有し、図示しないカム、バネ機構等によりメインミラー１３の移動に連動してサブミラー回動軸６１ａ周りに回動する。サブミラー１４は、メインミラー１３がミラーダウン位置である場合には、メインミラー１３背面側においてメインミラー１３の半透過部を透過する光束を所定の方向へ反射する位置に位置決めされる。また、サブミラー１４は、メインミラー１３がミラーアップ位置である場合には、メインミラー１３側に折りたたまれ、被写体光束の光路上から退避した位置に位置決めされる。
【００２３】
メインミラー１３およびサブミラー１４がミラーアップ位置にあるときの被写体光束の光路上後方には、撮像部である撮像ユニット３が配設されている。この撮像ユニット３は、被写体光束の通過時間を制御するためのシャッタ装置１５と、このシャッタ装置１５の光路上後方に配設された撮像素子１６と、を備えている。
【００２４】
一方、メインミラー１３およびサブミラー１４がミラーダウン位置にあるときの、メインミラー１３により反射された被写体光束の光路上には、観察光学系であるファインダユニット４が配設されている。このファインダユニット４は、撮影レンズに対して撮像素子１６の受光面と光学的に等価な位置に配設され、被写体像が結像されるようになされたフォーカシングスクリーン１７を有し、さらにこのフォーカシングスクリーン１７に結像された被写体像を正立正像に変換するためのペンタプリズム１８と、このペンタプリズム１８からの光学像を拡大して観察者の眼に導くための接眼光学系１９と、を備えて構成されている。
【００２５】
また、メインミラー１３およびサブミラー１４が観察位置にあるときの、サブミラー１４により反射された被写体光束の光路上には、測距ユニット５が配設されている。この測距ユニット５は、コンデンサレンズ２１と、第１ミラー２２と、第２ミラー２３と、セパレータレンズ２４と、測距センサ２５と、を備え、いわゆるＴＴＬ位相差ＡＦのための測距を行うものとして構成されている。
【００２６】
撮像ユニット３のさらに後方側となるカメラ本体１の背面側には、カラー液晶表示素子等を含んで構成される表示ユニット６が配設されている。
【００２７】
また、また、ペンタプリズム１８の上方には、被写体に照明光を照射するためのストロボユニット７が、使用時にポップアップし、非使用時にカメラ本体１内に収納され得るように配設されている。
【００２８】
次に、図２から図４を参照して、ミラー装置２の詳細な構成について説明する。
【００２９】
図４に示すように、メインミラー１３はメインミラー保持枠４１に保持されて、メインミラー部を構成している。また、サブミラー１４は、サブミラー保持枠６１に保持されてサブミラー部を構成している。
【００３０】
メインミラー保持枠４１は、メインミラー回動軸４１ａ上に突設された一対の回動軸部４３を有し、該一対の回転軸部４３がミラーボックス１２の左右壁面に設けられた一対の軸受部により回動可能に支持される。
【００３１】
また、メインミラー保持枠４１は、サブミラー回動軸６１ａ上に突設された一対の支持軸部４６を有し、該支持軸部４６には、サブミラー保持枠６１に設けられた軸受孔部６２が嵌合される。これにより、サブミラー保持枠６１は、メインミラー保持枠４１の背面側において、支持軸部４６周り、すなわちサブミラー回動軸６１ａ周りに回動可能に支持される。
【００３２】
また、前述のように、メインミラー保持枠４１には、例えば八角形の形状をなす貫通孔である開口部４２が設けられている。また、メインミラー１３は少なくとも一部がハーフミラーとして構成されている。
【００３３】
また、ミラーボックス１２の右側壁面部１２Ｒ上には、図２及び図３に示すように、ミラーダウン位置におけるメインミラー保持枠４１の下降下端側の位置決めを行うためのメインミラー保持枠用ストッパ３３と、ミラーダウン位置におけるサブミラー保持枠６１の下降下端側の位置決めを行うためのサブミラー保持枠用ストッパ３４と、が突設されている。
【００３４】
ミラーアップ位置におけるメインミラー保持枠４１と、ミラーボックス１２の上側壁面部とが当接する箇所には、図示しないが、衝撃吸収性に優れた低反発樹脂やウレタン発泡材等で構成された弾性体からなる緩衝材が配設されている。
【００３５】
また、本実施形態では、サブミラー保持枠６１のサブミラー回動軸６１ａから離間した左右端部には、サブミラー保持枠６１がミラーアップ位置におけるメインミラー保持枠４１側に折りたたまれた状態において、メインミラー保持枠４１に当接する箇所である一対の当接部６３が形成されている。
【００３６】
そして、該当接部６３のメインミラー保持枠４１に当接する表面部には、三角形状の断面を有する突条部が複数形成されている。言い換えれば、当接部６３のメインミラー保持枠４１に当接する表面部には、メインミラー保持枠４１側に突出する稜線を有した少なくとも一つの凸部が形成されている。なお、当接部６３の表面には、非粘着性を高めるためのフッ素樹脂等のコーティングが行われてもよい。
【００３７】
一方、ミラーアップ位置におけるメインミラー保持枠４１の、上記サブミラー保持枠６１の当接部６３が当接するそれぞれの箇所には、衝撃吸収性に優れた低反発樹脂やウレタン発泡材等で構成された弾性体からなる緩衝部（緩衝手段）である一対の緩衝材４４が接着により固着されている。緩衝材４４には、例えば、ソルボセイン（登録商標）等が適用され得る。
【００３８】
上述した本実施形態では、メインミラー１３及びメインミラー保持枠４１を有するメインミラー部がミラーアップ位置に位置決めされた場合において、サブミラー１４及びサブミラー保持枠６１を有するサブミラー部と上記メインミラー部とに挟まれる領域に、緩衝材４４が配設される。
【００３９】
このため、本実施形態によれば、ミラーアップ動作時のサブミラー保持枠６１が、メインミラー保持枠４１に当接する際の衝撃が緩衝材４４により緩和されるため、サブミラー保持枠６１のバウンドを抑制することができる。
【００４０】
すなわち、本実施形態によれば、サブミラー１４及びサブミラー保持枠６１のバウンドが抑制されることにより、撮影時におけるミラーアップ動作の待ち時間を短縮することが可能であり、撮影者がレリーズボタンを操作してからシャッタが動作を開始するまでの時間、いわゆるレリーズタイムラグを短縮することができる。また、これにより、ミラー装置を高速駆動することができる。
【００４１】
また、本実施形態では、サブミラー保持枠６１の上記緩衝材４４に当接する当接部６３の表面部には、稜線が形成された凸部が形成されている。すなわち、ミラーアップ時において、緩衝材４４には凸部の稜線のみが接触するため、緩衝材４４と当接部６３との接触面積が小さくなり、当接部６３が柔軟な部材で構成された緩衝材４４に張り付いてしまうことがない。
【００４２】
例えば、長時間露光動作や、ライブビュー動作が可能な一眼レフレックス方式のデジタルカメラにおいては、ミラーアップ状態が長時間継続することが考えられるが、本実施形態によれば、長時間のミラーアップ動作時においても、サブミラー保持枠６１がメインミラー保持枠４１に設けられた緩衝材に張り付いてしまうことを防止することができ、確実な動作が可能である。
【００４３】
なお、上述した実施形態においては、メインミラー１３及びサブミラー１４は、それぞれメインミラー保持枠４１及びサブミラー保持枠６１に保持される構成としているが、これは光路上への進退によって被写体光束を振り分けることが可能な構成であればよく、本実施形態に限られるものではない。例えば、メインミラー保持枠とメインミラーとは、一体に形成されるものであってもよい。
【００４４】
また、本実施形態は、緩衝材４４がメインミラー保持枠４１に固着され、当接部６３がサブミラー保持枠６１に形成される構成であるが、これらは逆の配置、すなわち緩衝材４４がサブミラー保持枠６１に固着され、稜線部を有する当接部６３がメインミラー保持枠４１に形成される構成であっても、同様の効果が得られることは言うまでもない。
【００４５】
また、本実施形態では、当接部は、直線状の稜線を有する断面が三角形状の突条部、いわゆるローレット状の凹凸部が形成されるものであるが、これは本実施形態に限られるものではない。
【００４６】
例えば、当接部６３の表面形状は、平面視で曲線、閉曲線、矩形、多角形等の一つ又は複数の稜線を有する凹凸形状であってもよいし、稜線は三角頂上ではなく半円頂上であってもよい。また、当接部６３の表面形状は、角錐を複数配列したいわゆるヤスリ目状の形状であってもよい。
【００４７】
なお、本発明は、上述した実施形態に限られるものではなく、特許請求の範囲及び明細書全体から読み取れる発明の要旨或いは思想に反しない範囲で適宜変更可能であり、そのような変更を伴うカメラもまた本発明の技術的範囲に含まれるものである。
【００４８】
本発明に係る一眼レフレックスカメラは、上述の実施形態で説明したレンズ交換式のデジタルカメラの形態に限らず、フィルムによる撮影を行う一眼レフレックスカメラや、撮影レンズと本体とが一体となった一眼レフレックスカメラであってもよいことは言うまでもない。
【図面の簡単な説明】
【００４９】
【図１】一眼レフレックスカメラの本体の概略構成を示す図である。
【図２】ミラーダウン位置におけるミラー装置を側方から見た図である。
【図３】ミラーアップ位置におけるミラー装置を側方から見た図である。
【図４】ミラーダウン位置にあるミラー装置を下方側から見た図である。
【符号の説明】
【００５０】
２  ミラー装置、  １３  メインミラー、  １４  サブミラー、  ４１  メインミラー保持枠、  ４２  開口部、  ４３  回転軸部、  ４４  緩衝材、  ６１  サブミラー保持枠、  ６２  軸受孔部、  ６３  当接部
【図１】
2009098380.tif 000003
【図２】
2009098380.tif 000004
【図３】
2009098380.tif 000005
【図４】
2009098380.tif 000006